(57)【要約】【課題】光損失の波長特性を解消することができ、透過帯域拡大が可能となるような光部品を提供する。【解決手段】対向する平行平面を有するガラス板１ａと、ガラス板の平行平面にそれぞれ形成された１００％の反射率の反射膜である反射面層１ｂ及び１００％より低い反射率の反射膜である出射面層１ｃと、を含んで構成される光部品であって、出射面層１ｃが、ガラス板内に入射した光が最初に反射する部分から多重反射方向へ、光の反射回数が増えるに従って透過率が高くなっていくように形成されることにより、出射面層１ｃを透過して出射する出射光の強度が、最初の出射位置から最後の出射位置までほぼ均一となる光部品。【選択図】図２
2010230955.tif 000002
【特許請求の範囲】
【請求項１】
対向する平行平面を有するガラス板と、前記ガラス板の前記平行平面にそれぞれ形成された第１の反射膜及び第２の反射膜と、を含んで構成され、
前記第１の反射膜は、前記ガラス板内に入射した光に対してほぼ１００％の反射率を有する反射面層とされ、
前記第２の反射膜は、前記ガラス板内に入射した光に対して１００％より低い反射率を有する出射面層とされ、
前記ガラス板内に入射した光が、前記第１の反射膜及び前記第２の反射膜の間で多重反射しつつ前記出射面層を透過して出射する、光部品であって、
前記出射面層は、前記ガラス板内に入射した光が最初に反射する部分から多重反射方向へ、光の反射回数が増えるに従って透過率が高くなっていくように形成され、
前記出射面層を透過して出射する出射光の強度が、最初の出射位置から最後の出射位置までほぼ均一となる、光部品。
【請求項２】
請求項１記載の光部品であって、
前記出射面層が、前記ガラス板内に入射した光が最初に反射する部分から多重反射方向へ段階的に薄くなっている、光部品。
【請求項３】
請求項２記載の光部品であって、
前記出射面層は、反射膜を積層することにより形成されており、その反射膜の積層数が、前記ガラス板内に入射した光が最初に反射する部分から多重反射方向へ少なくなっていく、光部品。
【請求項４】
請求項１〜３のいずれか１項記載の光部品と、
前記光部品の前記出射面層から出射した出射光を波長に応じて異なる位置に集光するレンズと、
前記レンズで集光された光を反射させ、前記反射光を前記レンズを介して前記出射面層から前記光部品のガラス板内へ再入射させるミラーと、
を含んで構成される波長分散補償器。
【発明の詳細な説明】
【技術分野】
【０００１】
ここに開示する技術は、入力光を波長に応じて分波する機能を備えた光部品、及び該光部品を利用して波長分散を補償する波長分散補償器に関する。
【背景技術】
【０００２】
光通信に使用される波長分散補償器等において、最近では、入力光を波長に応じて空間的に区別可能な複数の光束に分波する光部品の一つとして、ＶＩＰＡ（Virtually Imaged Phased Array）が使用されている。ＶＩＰＡは、ガラス板に反射膜を形成したＶＩＰＡ内で入力光を多重反射させることにより、分波を行う。より詳しくは、ＶＩＰＡは、対向する平行平面を備えたガラス板と、このガラス板の平行平面にそれぞれ形成された反射膜と、を含んで構成される。そのガラス板の一方の反射膜は、ガラス板内に入射した光に対してほぼ１００％の反射率を有する反射面層とされ、他方の反射膜は、ガラス板内に入射した光に対して、１００％より低い反射率、例えば９５％〜９８％の反射率を有する出射面層とされる。ＶＩＰＡへの入力光は、反射面層の側に形成された照射窓を通してガラス板内に入射する。
【０００３】
ガラス板内に入射した光は、二つの反射膜の間で多重反射しつつ徐々に出射面層を透過して、複数の光束となって出射する。この出射時、特許文献１の図１４や非特許文献１の図４“Constant”に記載されているように、出射光が、ＶＩＰＡ内での反射回数に応じた強度分布（プロファイル）をもつことが知られている。すなわち、出射光の強度は、多重反射方向において、反射回数が増えるに従って弱くなっていく。
【０００４】
このようなＶＩＰＡを波長分散補償器に使用した場合、多重反射しつつＶＩＰＡから出射する出射光は、レンズを経て集光された後にミラーにあたって反射し、再びレンズを経てＶＩＰＡに入射する。このとき、ミラーによって反射し、ＶＩＰＡに再入射する反射光は、上記出射光の強度分布をほぼ反転させた強度分布をもつことになる（非特許文献１の図４参照）。
【０００５】
波長分散補償器など、ＶＩＰＡの出射光がミラーで反射してＶＩＰＡへ再入射するようになっている光デバイスにおいては、上記のような出射光の強度分布に対する反射光の強度分布の反転が、ＶＩＰＡにおける光損失に影響する。そこで、特許文献１及び非特許文献１に、出射光を透過させる出射面層の反射率を、多重反射方向において変化させることが、提案されている。
【０００６】
特許文献１の場合は、出射面層について、最初の出射位置から最後の出射位置に向かって反射率が減少するように形成し、出射光強度分布が略ベル状曲線の対称形状を呈するようにしている（特許文献１の図１５）。また、非特許文献１の場合はさらに、出射面層について、透過率が２段階（2-level）に変化するように形成し、強度のピークが二箇所現れるようにすることで、出射光強度分布がほぼ対称形状を呈するようにしている。
【先行技術文献】
【特許文献】
【０００７】
【特許文献１】特開２０００−０２８８４９号公報
【非特許文献】
【０００８】
【非特許文献１】"Analysis of coating design in a virtually imaged phased array (VIPA) chromatic dispersion compensator", Christopher Lin and Masataka Shirasaki, WDM and Photonic Switching Device for Network Applications II, Proceeding of SPIE Vol. 4289 (2001)
【発明の概要】
【発明が解決しようとする課題】
【０００９】
ＶＩＰＡの出射光がミラーで反射してＶＩＰＡへ再入射するようになっている光デバイスでは、ＶＩＰＡにおいて出射光強度分布にピークがあると、ＶＩＰＡにおける光損失に波長特性が生じることがわかっている。これについて、図８を使用して説明する。図８中の強度分布図は、実線が出射光強度分布、点線が反射光強度分布を表している。
【００１０】
出射光を反射させるためのレンズ及びミラー等の光学系を含めたＶＩＰＡモジュールは、入力光の波長に応じてＶＩＰＡと光学系の位置関係が設定される。この設定は、ＶＩＰＡから出射する出射光の強度分布とＶＩＰＡに再入射する反射光の強度分布との結合が最大となる関係が最適とされる。この最適設定時の出射光強度分布と反射光強度分布の関係が、図８中の中央に示す中心波長の分布図である。すなわち、図示のように、出射光強度分布と反射光強度分布との重なり部分の面積が最大となる関係に、ＶＩＰＡと光学系の位置が最適化される。
【００１１】
具体的に、ＶＩＰＡに入力される信号光は、伝送速度や変調方式等に応じたスペクトル形状を有しており、このスペクトル形状の中心波長に対して長波長側の成分及び短波長側の成分を含んでいる。ＶＩＰＡから出射する出射光の角度は、ＶＩＰＡに入射する光の波長成分に応じて変化するので、これら各波長成分に対応した強度分布にずれが生じる。すなわち、図８において、ＶＩＰＡへの入射光の波長成分が、中心波長に対して、長波長側にずれると、ＶＩＰＡ内の多重反射方向に対して出射光強度分布が下側（照射窓側）にずれ、短波長側にずれると、同多重反射方向に対して出射光強度分布が上側（照射窓の反対側）にずれる。このずれに応じて、反射光強度分布は、出射光が下側にずれたときには上側にずれ、出射光が上側にずれたときには下側にずれる。したがって、信号光の波長成分が中心波長からずれるほど両者の結合効率が小さくなり、光損失が増加する。
【００１２】
上記特許文献１及び非特許文献１の技術はいずれも、出射光強度分布がほぼ対称形状を呈するようにするものであるが、出射光強度分布のピークを抑制してはいない。したがって、入力光に含まれる波長成分に応じた出射光強度分布のずれによる上記結合効率の低下を防ぐことは、難しい。
【００１３】
このような背景に鑑みると、光損失の波長特性を解消することができ、透過帯域拡大が可能となるようなＶＩＰＡが必要である。
【課題を解決するための手段】
【００１４】
ここで提案する光部品は、
対向する平行平面を備えたガラス板と、このガラス板の平行平面にそれぞれ形成された反射膜と、を含んで構成され、
前記反射膜の一方は、前記ガラス板内に入射した光に対してほぼ１００％の反射率を有する反射面層とされ、且つ前記反射膜の他方は、前記ガラス板内に入射した光に対して１００％より低い反射率を有する出射面層とされ、
前記ガラス板内に入射した光が、前記二つの反射膜間で多重反射しつつ前記出射面層を透過して出射する、
光部品であって、次のような態様とする。
【００１５】
当該提案に係る光部品は、
前記出射面層が、前記ガラス板内に入射した光が最初に反射する部分から多重反射方向へ、光の反射回数が増えるに従って透過率が高くなっていくように形成されることにより、この出射面層を透過して出射する出射光の強度が、最初の出射位置から最後の出射位置までほぼ均一となるものである。
【発明の効果】
【００１６】
この提案に係る光部品である、いわゆるＶＩＰＡは、出射面層の透過率を多重反射方向において変化させたものであるが、その透過率変化について、最初の出射位置から最後の出射位置まで出射光の強度がほぼ均一となるように、変化させている。すなわち、ガラス板内を多重反射する光の反射回数が増えるに従って透過率が高くなるように変化させて、出射光の強度がほぼ均一となるようにしている。ガラス板内を多重反射する光は、出射面層から徐々に出射していくので、反射を重ねる毎に次第に弱くなっていく。これに対応して出射面層の透過率が次第に高くなっていけば、出射光の強度をほぼ一定にすることが可能である。
【００１７】
多重反射方向において出射光の強度が一様であれば、その強度分布は、ピークが抑制された平坦で対称な形状を呈する。強度分布が、平坦で対称な形状を示していれば、出射光強度分布と反射光強度分布の結合の割合が高くなり、光部品に入力される光の中心波長での結合効率が向上する。また、入力光の波長成分に応じて強度分布が多重反射方向にずれたとしても、出射光強度分布と反射光強度分布の結合効率が従来のように小さくはならない。したがって、結合効率の低下が抑制され、光損失の波長特性を改善して透過帯域拡大を図ることが可能となる。
【図面の簡単な説明】
【００１８】
【図１】ＶＩＰＡを使用した波長分散補償器の構造を説明する図。
【図２】ＶＩＰＡにおける出射面層の透過率と出射光強度分布の関係を説明する図。
【図３】実施形態に係るＶＩＰＡの出射光強度分布の波長特性を説明する図。
【図４】実施形態に係るＶＩＰＡの出射面層構造を説明する図。
【図５】多重反射方向（Ｙ方向）における出射面層の透過率変化を示したグラフ。
【図６】多重反射方向（Ｙ方向）における出射光強度分布を示したグラフ。
【図７】光損失の波長特性を示したグラフ。
【図８】従来におけるＶＩＰＡの出射光強度分布の波長特性を説明する図。
【発明を実施するための形態】
【００１９】
図１に、ＶＩＰＡを含んで構成された光デバイスの一例として、波長分散補償器を示している。
図示の波長分散補償器は、補償前の入力光をＶＩＰＡ１に照射し、補償後の出力光をＶＩＰＡ１から出力する第１光学系として、光サーキュレータ２、光ファイバ３、コリメートレンズ４、ライン焦点レンズ５を備えている。波長分散補償器への入力光は、光サーキュレータ２を通って光ファイバ３から出力された後、コリメートレンズ４及びライン焦点レンズ５を通り、一つの線分上に集光される。
【００２０】
ＶＩＰＡ１は、ガラス板１ａの対向する平行平面に反射膜を形成した構造を有する。その一方の反射膜が、ガラス板１ａ内に入射した光に対してほぼ１００％の反射率を有する反射面層１ｂとされ、他方の反射膜が、ガラス板１ａ内に入射した光に対して、後述のように１００％より低い反射率を有する出射面層１ｃとされる。反射面層１ｂの下端部分には、ライン焦点レンズ５からガラス板１ａ内に光を照射するための照射窓１ｄが形成されている。
【００２１】
ライン焦点レンズ５から照射される光は、照射窓１ｄを通して出射面層１ｃ上に線状に集光される。この光が集光される部分が、出射面層１ｃにおける最初の反射部分となる。このようにガラス板１ａ内に入射した光は、出射面層１ｃと反射面層１ｂとの間で多重反射しつつ徐々に出射面層１ｃを透過して、複数の光束となって出射する。
【００２２】
出射面層１ｃを透過した出射光は、収束レンズ６及びミラー７を備えた第２光学系によって反射し、再び出射面層１ｃからガラス板１ａ内へ入射する。すなわち、出射光は、波長に応じて異なる位置に集光する収束レンズ６を経てミラー７上に集光されて反射し、この反射光が再び収束レンズ６を経て出射面層１ｃを透過し、ガラス板１ａ内に入射する。ガラス板１ａ内に再入射した反射光は、照射窓１ｄ、ライン焦点レンズ５、コリメートレンズ４、及び光ファイバ３を順に通過し、光サーキュレータ２を経て入力光とは違うポートへ出力される。
【００２３】
この波長分散補償器に使用されるＶＩＰＡ１において、出射面層１ｃは、ライン焦点レンズ５からガラス板１ａ内に入射した光が最初に反射する部分の透過率が一番低くなっており、図１中にＹ軸で示す多重反射方向へ、徐々に透過率が高くなっている。すなわち、入射した光の反射回数が増えるに従って透過率が高くなっていくように形成されている。これにより、出射面層１ｃを透過して出射する出射光の強度が、最初の出射位置から最後の出射位置までほぼ均一となる。この出射面層１ｃの透過率について、図２を参照して説明する。
【００２４】
図２Ａには、比較例として、出射面層の透過率を一定とした一般的なＶＩＰＡが示されており、図２Ｂに、上記ＶＩＰＡ１が示されている。図２Ａに示す比較例の場合、出射面層の透過率が一定なので、前述したように、出射光強度分布は、最初の出射位置で一番強く、反射回数が増すにつれて弱くなっていく分布を示す。この強度分布の出射光が反射光として帰ってくると、図８に示したように、強度分布が反転しているので、光損失の波長特性が強く現れる。
【００２５】
一方、図２Ｂに示す本実施形態のＶＩＰＡ１における出射面層１ｃは、光の反射回数が増えるに従って透過率が高くなっていくように形成されている。これにより、出射面層１ｃを透過して出射する出射光の強度は、最初の出射位置から最後の出射位置までほぼ均一となり、したがって強度分布は、平坦（矩形）な分布となる。すなわち、ガラス板１ａ内を多重反射する光は、出射面層１ｃから徐々に出射していくので、反射を重ねる毎に次第に弱くなっていく。これに対応して出射面層１ｃの透過率を次第に高くしていけば、出射光の強度をほぼ一定にすることができる。
【００２６】
図１中Ｙ軸で示す多重反射方向において出射光の強度が一定していれば、この出射光の強度分布は、平坦で対称な形状を呈する。強度分布が、ピークの抑制された平坦で対称な形状を示していれば、入力光に含まれる波長成分に応じて強度分布が多重反射方向にずれたとしても、出射光強度分布と反射光強度分布の結合効率が従来のように小さくはならない。これについて、図３に示している。
【００２７】
前述のように、ＶＩＰＡ１と第２光学系（収束レンズ６及びミラー７）の位置関係は、ＶＩＰＡ１から出射する出射光の強度分布とＶＩＰＡ１に再入射する反射光の強度分布との結合が最大となる関係に設定される。このときの出射光強度分布と反射光強度分布の関係が、図３中の中央に示す中心波長の分布図である。出射面層１ｃの透過率調整により平坦化した強度分布を出射光が有していると、反転して反射してくる反射光の強度分布も同様に平坦になる。したがって、出射光強度分布と反射光強度分布との重なり部分の面積が最大となる関係にＶＩＰＡ１と第２光学系の位置を最適化すると、両者はほぼ一致することになる。その結果、ピークのある分布に比べて結合効率が向上する。
【００２８】
また、図３に示しているように、入力光の中心波長からずれた波長成分は、その出射光の出射角度が変化するので、強度分布もずれることになる。すなわち、図３において、入力光の中心波長に対し、長波長側にずれた波長成分は、ＶＩＰＡ１内の多重反射方向に対して出射光強度分布が下側（照射窓側）にずれ、短波長側にずれた波長成分は、ＶＩＰＡ１内の多重反射方向に対して出射光強度分布が上側（照射窓の反対側）にずれる。このずれに応じて、反射光強度分布は、出射光が下側にずれたときには上側にずれ、出射光が上側にずれたときには下側にずれる。しかしながら、両者の強度分布が平坦化していると、ピークのある分布に比べて結合の割合が高いので、出射光と反射光の強度分布が互いにずれたとしても、ピークのある分布のときのように結合効率が小さくなることはない。したがって、結合効率の低下が抑制され、光損失の波長特性を改善して透過帯域拡大を図ることが可能となる。
【００２９】
このような出射光強度分布を得る出射面層１ｃの透過率変化については、次のようにして求めることができる。ここでは、出射面層１ｃから出射する光の強度をＹ軸（多重反射方向）の距離ｙの関数としてＰ（ｙ）で表すと共に、出射面層１ｃの単位長さあたりの透過率を同じく距離ｙの関数としてα（ｙ）で表すことにする。このとき、出射面層１ｃにおける最初の出射位置をｙ＝ｙ１とすると、その出射光強度Ｐ（ｙ１）は、ＶＩＰＡ１への入力光強度をＰｉとして、次の式１に従うことになる。
［式１］
Ｐ（ｙ１）＝Ｐｉ・α（ｙ１）
【００３０】
また、２番目の出射位置をｙ＝ｙ２とすると、ＶＩＰＡ１内で多重反射して当該出射位置ｙ２に到達する光の強度はＰｉ・｛１−α（ｙ１）｝であるので、その出射光強度Ｐ（ｙ２）は、次の式２に従う。
［式２］
Ｐ（ｙ２）＝Ｐｉ・｛１−α（ｙ１）｝・α（ｙ２）
【００３１】
上記式１及び式２について、各出射位置における光強度Ｐ（ｙ１），Ｐ（ｙ２）が一定という関係を用いると、次の式３が得られ、これを整理すると式４となる。
［式３］
Ｐｉ・α（ｙ１）＝Ｐｉ・｛１−α（ｙ１）｝・α（ｙ２）
［式４］
α（ｙ２）＝α（ｙ１）／｛１−α（ｙ１）｝
【００３２】
さらに、３番目の出射位置をｙ＝ｙ３とすると、ＶＩＰＡ１内で多重反射して当該出射位置ｙ３に到達する光の強度はＰｉ・｛１−α（ｙ１）｝・｛１−α（ｙ２）｝となるので、その出射光強度Ｐ（ｙ３）は、次の式５に従う。
［式５］
Ｐ（ｙ３）＝Ｐｉ・｛１−α（ｙ１）｝・｛１−α（ｙ２）｝・α（ｙ３）
【００３３】
上記式２及び式５について、Ｐ（ｙ２）及びＰ（ｙ３）が一定という関係を用いると、次の式６が得られ、これを式４を用いて整理すると式７となる。
［式６］
Ｐｉ・｛１−α（ｙ１）｝・α（ｙ２）
＝Ｐｉ・｛１−α（ｙ１）｝・｛１−α（ｙ２）｝・α（ｙ３）
［式７］
α（ｙ３）＝α（ｙ２）／｛１−α（ｙ２）｝
＝α（ｙ１）／｛１−２・α（ｙ１）｝
【００３４】
上記式４及び式７と同様にして、ｎ番目の出力位置での関数α（ｙｎ）を求めると、次の式８の関係が得られる。
［式８］
α（ｙｎ）＝α（ｙ１）／｛１−（ｎ−１）・α（ｙ１）｝
【００３５】
上記式８の関係により、多重反射の回数が増える（Ｙ軸方向の距離が長くなる）と出射面層１ｃの透過率が高くなるようにすることによって、出射光の強度を一定とし、平坦な強度分布を得ることができる。
【００３６】
出射面層１ｃの透過率を変化させる構造について、図４を参照して説明する。
図４に示すＶＩＰＡ１における出射面層１ｃは、反射膜の一例として誘電体膜を利用しており、複数の誘電体膜１０〜１５を積層して形成されている。誘電体膜１０〜１５の積層数は、ガラス板１ａ内に入射した光が最初に反射する部分、すなわち照射窓１ｄの側から多重反射方向（Ｙ軸方向）へ少なくなっている。これにより、出射面層１ｃは、入射光が最初に反射する部分から多重反射方向へ段階的に薄くなっている。誘電体膜１０〜１５の積層数が少なくなると、透過率は高くなるので、図示の出射面層１ｃは、多重反射方向へ、光の反射回数が増えるに従って透過率が高くなっている。
【００３７】
最下層の誘電体膜１０は、ガラス板１ａの平行平面全体に蒸着形成されている。この上に積層する誘電体膜１１は、蒸着範囲を減縮することにより、上端部分が誘電体膜１０よりも短く形成されている。同様にして、下層膜よりも上端部分が短くなるようにして、誘電体膜１２〜１５を蒸着形成する。各誘電体膜１０〜１５の膜厚は、すべて同じ厚さとしてもよいが、各誘電体膜１０〜１５の膜厚を変えて、透過率を微調整することも可能である。これら誘電体膜１０〜１５は、フォトリソグラフィ工程などを利用してガラス板１ａ上に形成することができる。
【００３８】
例えば、出射面層１ｃは、最も透過率の低い部分で透過率１％、最も透過率の高い部分で透過率１００％となるように、誘電体膜を積層し、透過率を段階変化させることができる。
【００３９】
一例として、出射光の強度が均一となるように出射面層１ｃの透過率を計算した結果を図５のグラフに示す。横軸がＹ軸方向の距離を表し、縦軸が透過率を表している。この例におけるＹ軸方向距離の原点は、ガラス板１ａ内に入射した光が出射面層１ｃで最初に反射する位置にある。
【００４０】
図５の透過率は、Ｙ軸方向距離の原点で１％であり、図２Ａに示したような出射光強度分布を打ち消すように、原点から離れていくに従って増加する。そして、この例ではＹ軸方向距離が２ｍｍを越えたところで、透過率が１００％となっている。この透過率が１００％となる位置が、多重反射光の最後の出射位置近傍に該当している。これに対し、図５に一緒に示した、出射面層の透過率が一定の場合は、透過率が１％を維持している。
【００４１】
図５の透過率変化をもたせた出射面層１ｃから出射される出射光の強度分布を、図６に示している。横軸がＹ軸方向距離を表し、縦軸はＶＩＰＡ１への入力光強度を１として規格化した出射光強度を表している。出射光の強度が一定となるように出射面層１ｃの透過率を変化させているので、Ｙ軸方向の出射光強度分布は平坦となり、透過率が１００％となる２ｍｍを越えたところ（最後の出射位置近傍）で、出射光が無くなっている。つまり、出射光強度分布は矩形を示す。これに対し、図６に一緒に示した、出射面層の透過率が一定の場合は、Ｙ軸方向距離原点部分で最も出射光強度が強く、Ｙ軸方向距離が進むにつれて出射光強度が減少していく。
【００４２】
この図６に示す出射光強度分布の結果として結合損失を推定したグラフを、図７に示している。横軸が入力光の中心波長からの波長差であり、縦軸は、入力光がＶＩＰＡ１を往復することで受ける損失（結合損失）を負の値で示している。出射光強度を一定とする透過率変化をもたせた出射面層１ｃによれば、全体的に結合損失が減少しており、中心波長での結合損失が−０．１ｄＢほどになっている。そして、中心波長から−０．４ｎｍの波長差がある短波長側では絶対値で０．１ｄＢほどの結合損失の増加がみられ、＋の波長差がある長波長側では結合損失の増加はほとんどみられない。一方、図７に一緒に示した、出射面層の透過率が一定の場合は、中心波長での結合損失が−１．３ｄＢほどある。また、中心波長から−０．４ｎｍの波長差がある短波長側で絶対値で０．４ｄＢほどの結合損の増加がみられ、＋０．４ｎｍの波長差がある長波長側で絶対値で０．１ｄＢほどの結合損失の増加がみられる。
【００４３】
以上の実施形態に関する付記を以下に開示する。
【００４４】
（付記１）
対向する平行平面を有するガラス板と、前記ガラス板の前記平行平面にそれぞれ形成された第１の反射膜及び第２の反射膜と、を含んで構成され、
前記第１の反射膜は、前記ガラス板内に入射した光に対してほぼ１００％の反射率を有する反射面層とされ、
前記第２の反射膜は、前記ガラス板内に入射した光に対して１００％より低い反射率を有する出射面層とされ、
前記ガラス板内に入射した光が、前記第１の反射膜及び前記第２の反射膜の間で多重反射しつつ前記出射面層を透過して出射する、光部品であって、
前記出射面層は、前記ガラス板内に入射した光が最初に反射する部分から多重反射方向へ、光の反射回数が増えるに従って透過率が高くなっていくように形成され、
前記出射面層を透過して出射する出射光の強度が、最初の出射位置から最後の出射位置までほぼ均一となる、光部品。
【００４５】
（付記２）
付記１記載の光部品であって、
前記出射面層が、前記ガラス板内に入射した光が最初に反射する部分から多重反射方向へ段階的に薄くなっている、光部品。
【００４６】
（付記３）
付記２記載の光部品であって、
前記出射面層は、反射膜を積層して形成されており、その積層数が、前記ガラス板内に入射した光が最初に反射する部分から多重反射方向へ少なくなっていく、光部品。
【００４７】
（付記４）
付記１〜３のいずれかに記載の光部品であって、
前記出射面層は、透過率の最も低い部分における透過率が１％である。光部品。
【００４８】
（付記５）
付記１〜４のいずれかに記載の光部品であって、
前記出射面層は、透過率の最も高い部分における透過率が１００％である、光部品。
【００４９】
（付記６）
付記１〜５のいずれかに記載の光部品と、
前記光部品の前記出射面層から出射した出射光を波長に応じて異なる位置に集光するレンズと、
前記レンズで集光された光を反射させ、前記反射光を前記レンズを介して前記出射面層から前記光部品のガラス板内へ再入射させるミラーと、
を含んで構成される波長分散補償器。
【００５０】
（付記７）
付記６記載の波長分散補償器であって、
入力光が与えられる光サーキュレータと、
前記光サーキュレータを通って光ファイバから出力される前記入力光を平行光にするコリメートレンズと、
前記コリメートレンズを経た光を一線分上に集光して、前記光部品の前記ガラス板内に入射させるライン焦点レンズと、
をさらに含む波長分散補償器。
【符号の説明】
【００５１】
１  ＶＩＰＡ
１ａ  ガラス板
１ｂ  反射面層（ほぼ１００％の反射膜）
１ｃ  出射面層（１００％よりも低い反射膜）
１ｄ  照射窓
２  光サーキュレータ
３  光ファイバ
４  コリメートレンズ
５  ライン焦点レンズ
６  収束レンズ
７  ミラー
【図１】
2010230955.tif 000003
【図２】
2010230955.tif 000004
【図３】
2010230955.tif 000005
【図４】
2010230955.tif 000006
【図５】
2010230955.tif 000007
【図６】
2010230955.tif 000008
【図７】
2010230955.tif 000009
【図８】
2010230955.tif 000010